(57)【要約】      （修正有）【課題】縫製箇所の美しい二重筒編地の縫製方法を課題とする。【解決手段】筒編地２を一端３で折り返した二重の両編地５，６を他端４近辺で縫製した二重筒編地１の縫製方法において、他端４で内外両編地５，６を縁かがり縫い８で綴じる一次縫製手段Ａと、該一次縫製の箇所７を内面編地５に若干１１手繰り入れる手段Ｂと、該一次縫製箇所近辺１２の内外両編地５，６を重ねて掬い縫い１３で縫合する二次縫製手段Ｃとした二重筒編地１の縫製方法を構成するものである。【選択図】図１
2005171460.tif 000002
【特許請求の範囲】
【請求項１】
筒編地を一端で折り返した二重の両編地を他端近辺で縫製した二重筒編地の縫製方法において、他端で内外両編地を縁かがり縫いで綴じる一次縫製手段と、該一次縫製の箇所を内面編地に若干手繰り入れる手段と、該一次縫製箇所近辺の内外両編地を重ねて掬い縫いで縫合する二次縫製手段としたことを特徴とする二重筒編地の縫製方法。
【請求項２】
二重筒編地が、サポーター・リストバンド・腹巻である請求項１記載の二重筒編地の縫製方法。
【発明の詳細な説明】
【技術分野】
【０００１】  本発明は、サポーターやリストバンドや腹巻等からなる二重筒編地の縫製方法に関するものである。
【背景技術】
【０００２】  サポーターや腹巻等の筒編地が保温性を目的とする場合には、二重編みのものにすることが望ましい。二重筒編地は、長く編成した筒編地を一端で折り返して二重にし、他端で接合する必要がある。【０００３】  二重筒編地の先行技術としては、両編地間を熱溶着糸で編成し、加熱溶融して接合させる技術が公知である（例えば、特許文献１）。【０００４】（特許文献１）
特開平５−４４１５２号公報【０００５】  また、Ｋ式編機で袋編に編立てるメークアップ編成もある。これは短い編地に適しており、ヘアバンドへの技術が公知である（例えば、実用新案文献１）。【０００６】（実用新案文献１）
実開昭６２−１４６４０３号公報【０００７】  然し、現在一般に採用されている二重筒編地の接合は、図３のような縫製によるものである。即ち、長く編成した筒編地を一端で折り返して二重にし、他端でオーバーロックミシンにより、縁かがり縫いしたものである。【０００８】  ところが、二重筒編地は保温性をよくするため、厚地の編地で構成されることが多い。そのため図３のように、端縁の縫い目Ｓａが波打って汚く、見栄えの良くないことが大きな欠点となっている。【０００９】  そのために、縫い目を他端にしないで、内面の編地の中央に入れる先行技術も提案されている（例えば、実用新案文献２）。【００１０】（実用新案文献２）
実開昭６３−５９６５２号公報【００１１】  また、縫い目を他端にしないで、折り返し内面の編地端縁から若干内側の位置にした先行技術も提案されている（例えば、実用新案文献３）。【００１２】（実用新案文献３）
実全昭６３−５９６５２号公報【００１３】  然し、実用新案文献１，実用新案文献２，実用新案文献３の各先行技術は、何れも内面の編地だけを縫製し、外面の編地は縫製されていない。そのため、内面の編地の中央や端縁から若干内側の位置にある縫製箇所が、ずれる恐れがあり、不安定なものとなっている。【００１４】  図４の二重筒編地は、先の実用新案文献３と同じように、折り返し編地端縁から若干内側の位置を縫製箇所にしているものである。但し実用新案文献３のように、他端で内面の編地のみを、かがり縫いしたものではない。即ち、内面の編地の他端と、外面編地の他端とを一緒に、折り返し編地端縁から若干内側の位置でロックミシンにて、本縫いにした縫製箇所がずれる恐れのないのものである。【００１５】  然し図４の二重筒編地は、その縫製箇所Ｓｂが引きつり端縁Ｅ迄の編地が張り出した広幅になっており、やはり縫製箇所は美しい出来栄えのものではない。
【発明の開示】
【発明が解決しようとする課題】
【００１６】  上記の事情に鑑み本発明は、縫製箇所の美しい二重筒編地の縫製方法の提供を課題とする。
【課題を解決するための手段】
【００１７】  本発明は上記課題を達成するために、本発明は、筒編地を一端で折り返した二重の両編地を他端近辺で縫製した二重筒編地の縫製方法において、他端で内外両編地を縁かがり縫いで綴じる一次縫製手段と、該一次縫製の箇所を内面編地に若干手繰り入れる手段と、該一次縫製箇所近辺の内外両編地を重ねて掬い縫いで縫合する二次縫製手段とした二重筒編地の縫製方法を構成するものである。
【発明の効果】
【００１８】  本発明の二重筒編地の縫製方法によると、縫製箇所が波打ったり、幅が張り出して広くなることはなく、縫製箇所が美しい仕上がりのものとなった。【００１９】  本発明の本発明の二重筒編地の縫製方法によると、二次縫製で内外面の編地が一緒に縫合されているので、縫製箇所がずれる恐れも解消された。
【発明を実施するための最良の形態】
【００２０】  以下、本発明の実施形態を図に基づいて詳しく説明する。
【実施例１】
【００２１】  図１は、本発明の縫製方法による各工程後の二重筒編地を示す斜視図であり、（イ）は一次縫製手段上がり、（ロ）は手繰り入れる手段上がり、（ハ）は一次縫製手段上がりの製品を示すものである。図２は、縫い方式を説明するための拡大断面図であり、（イ）は縁かがり縫い、（ロ）は本縫いを示している。【００２２】  サポータを例にとって説明する。本発明の二重筒編地１は、筒編地２を一端３で折り返し、二重の両編地５，６を他端４近辺で縫製７したものである。【００２３】  本発明の二重筒編地１の縫製方法は、最初に他端４で内外両編地５，６を縁かがり縫い８で綴じる一次縫製手段Ａからなっている。縁かがり縫い８とは、図２（イ）に示す如き縫製方法である。図２（イ）の場合は、１本針２本糸を使用した縁かがり縫いの例を示している。これは編地の端面部を上下・左右に移動するルーパの作用により、上糸９ａと上下面で夫々に絡み合いを構成する下糸１０とによる縫う方式のもので、編物の縁縫製に多様されている。【００２４】  次の手段は、この一次縫製手段Ａ上がりの編地の縫製箇所７を、他端４から若干内側の位置１１に、内面編地５を手繰り入れる手段Ｂである。これは、他端４を一端３と同じように綺麗にするためであり、縫製箇所７は内面編地５側に回って、外面編地６から隠される。【００２５】  然しこのままの状態では、使用中に縫製箇所７が移動する恐れがある。そこで最後の手段は、一次縫製箇所７近辺１２の内外両編地５，６を重ね、ミシン糸９ｂで、掬い縫い１３にて縫合して二次縫製箇所とする二次縫製手段Ｃである。なおこの二次縫製は、点接合では編地がずれるので好ましくなく、連続縫製にする必要がある。近辺とは、嵩張らないよう隣りにするのであり、緩く縫製される。【００２６】  本発明でいう掬い縫いとは、内外両編地を重ねて掬いあげて押さえながら縫う方式という意味で、具体的には本縫い・単環縫い・二重単環縫いのことを指している。図２（ロ）は、１本針１本糸を使用した単環縫いの例を示している。この場合は、編地の一面のみからミシン糸８ｂを供給して、連鎖状の絡み合いを構成する縫い方式の例で、これは編物の地縫いに適している。【００２７】  本発明の二重筒編地１は、このようにして縫製を二回行なうえことにより、縫製箇所は綺麗に、そして安定した状態にセットされる。
【産業上の利用可能性】
【００２８】  本発明は、サポータに限らず、リストバンドや腹巻を始めとする筒状編地を二重に縫製する際に広く利用しうるものである。
【図面の簡単な説明】
【図１】  本発明の縫製方法による各工程後の二重筒編地を示す斜視図であり、（イ）は一次縫製手段上がり、（ロ）は手繰り入れる手段上がり、（ハ）は二次縫製手段上がりの製品を示すものである。
【図２】  縫い方式を説明するための拡大断面図で、（イ）は縁かがり縫い、（ロ）は掬い縫いの外観を示している。
【図３】  他端を縫製した従来の筒二重編地の平面図である。
【図４】  折り返し編地端縁から若干内側の位置で縫製した、別の例を示す従来の筒二重編地の平面図である。
【符号の説明】
１          二重筒編地
２          筒編地
３          編地の一端
４          編地の他端
５          内面編地
６          外面編地
７          一次縫製箇所
８          縁かがり縫い
９ａ        上糸
９ｂ        ミシン糸
１０        下糸
１１        他端から若干内側の位置
１２        一次縫製箇所近辺
１３        掬い縫い
Ａ          一次縫製手段
Ｂ          手繰り入れる手段
Ｃ          二次縫製手段
Ｅ          端縁
Ｓａ，ｂ    縫い目
【図１】
2005171460.tif 000003
【図２】
2005171460.tif 000004
【図３】
2005171460.tif 000005
【図４】
2005171460.tif 000006